(57)【要約】【目的】チャンネルサーチに要する時間を極力少なくしつつ、より最新の受信データを取得することができるディジタル放送受信装置を提供する。【構成】チャンネルサーチの実行時やユーザによる選局実行時に、チャンネルサーチ日時、最終チューニング日時、及び最終受信成功日時を生成してメモリ１４に記憶する。ＣＰＵ１４は上記日時に基づいて、▲１▼削除対象チャンネルの再サーチ、▲２▼追加対象チャンネルの再サーチ、▲３▼更新対象チャンネルの再サーチを行う。これらの再サーチの間隔（周期）は互いに異なる。例えば、▲１▼は３日に１回、▲２▼は２日に１回、▲３▼は１日に１回の間隔でサーチを実行する。【選択図】                図１
2004165861.tif 000002
【特許請求の範囲】
【請求項１】
チャンネル毎に提供されているデータをチャンネルサーチの実行により取得するディジタル放送受信装置において、各チャンネルについて最終チューニング日時を記憶する記憶手段と、新たなチャンネルサーチでは前記最終チューニング日時から所定期間経過したチャンネルを選出してチャンネルサーチを行わせる制御手段と、を備えたことを特徴とするディジタル放送受信装置
【請求項２】
請求項１に記載のディジタル放送受信装置において、ユーザによって選局が指示されたときにも選局チャンネルの最終チューニング日時を更新するように構成されたことを特徴とするディジタル放送受信装置。
【請求項３】
チャンネル毎に提供されているデータをチャンネルサーチの実行により取得するディジタル放送受信装置において、各チャンネルについてチャンネルサーチ実施日時及び最終チューニング日時及び最終受信成功日時を記憶する記憶手段と、新たなチャンネルサーチでは前記日時に基づいてサーチ対象チャンネルを選出してチャンネルサーチを行わせる制御手段と、を備えたことを特徴とするディジタル放送受信装置。
【請求項４】
請求項３に記載のディジタル放送受信装置において、最終チューニング日時と最終受信成功日時とが同じであり、前記最終チューニング日時がチャンネルサーチ実施日時より新しく、最終チューニング日時から所定期間を経過していないチャンネルをサーチ対象チャンネルから除外するように構成されたことを特徴とするディジタル放送受信装置。
【請求項５】
請求項３に記載のディジタル放送受信装置において、チャンネルサーチ実施日時及び最終チューニング日時及び最終受信成功日時が同じであるチャンネルを更新サーチ対象チャンネルとして優先的にチャンネルサーチを実行するように構成されたことを特徴とするディジタル放送受信装置。
【請求項６】
請求項３に記載のディジタル放送受信装置において、最終チューニング日時が最終受信成功日時より新しいチャンネルを所定のタイミングで削除サーチ対象チャンネルとしてチャンネルサーチを実行し、複数回継続して前記チャンネルサーチの対象とされたチャンネルについてはそのデータを削除するように構成されたことを特徴とするディジタル放送受信装置。
【請求項７】
請求項３に記載のディジタル放送受信装置において、データが無いチャンネルを所定のタイミングで追加サーチ対象チャンネルとしてチャンネルサーチを実行し、受信成功した場合にはそのチャンネルのデータを取得するように構成されたことを特徴とするディジタル放送受信装置。
【請求項８】
請求項３乃至請求項７のいずれかに記載のディジタル放送受信装置において、ユーザによって選局が指示されたときにも選局チャンネルの最終チューニング日時を更新し、前記チャンネルが受信可能であったときには最終受信成功日時も更新するように構成されたことを特徴とするディジタル放送受信装置。
【請求項９】
請求項８に記載のディジタル放送受信装置において、データが無いチャンネルがユーザ選局によるチューニングで受信成功した場合には、そのチャンネルのデータを取得するように構成されたことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
そして、特に地上ディジタル放送を受信する受信装置においては、当該受信装置の設置時にイニシャル設定として初期チャンネルサーチ処理を実行し、各チャンネルの有局／無局情報を取得することが望ましい。また、イニシャル設定実行後においても、新たな放送局の開局や新中継局の設置、あるいは放送周波数の変更などに対応するため、スタンバイ時などの非視聴時を利用して度々再チャンネルサーチを行うのが望ましい。
【０００４】
図５は、従来のチャンネルサーチを説明したフローチャートである。例えば、ＵＨＦ帯域の最も低い周波数（例えばｃｈ１２）が開始周波数とされ（ステップＳ３１）、周波数がチューナに設定される（ステップＳ３２）。ＣＰＵは、前述の周波数で放送を受信（チューナが周波数をロック）できたかどうかを判断する（ステップＳ３３）。なお、地上ディジタル放送では、各放送局がそれぞれの周波数にＮＩＴ（Ｎｅｔｗｏｒｋ  Ｉｎｆｏｒｍａｔｉｏｎ  Ｔａｂｌｅ）という自局の受信データ（例えば、サービスリストやＴＳ＿ＩＤ、周波数など）を送信しているため、放送を受信できる場合にはＮＩＴも受信することができる。放送を受信できなかった場合には、予め受信チェックのために設けられたタイムアウトを判断し（ステップＳ３４）、タイムアウトである場合にはステップＳ３６に進む。放送を受信できた場合には、前述の受信データを取得してこれをメモリに記憶する（ステップＳ３５）。そして、スキャン中の周波数が最終周波数（例えばｃｈ６２）であるかどうかを判断し（ステップＳ３６）、最終周波数でない場合には周波数をＵＰして（ステップＳ３７）ステップＳ３２に進む。最終周波数であると判断された場合には、チャンネルサーチを終了する。
【０００５】
なお、従来のチャンネルサーチを行う放送受信装置としては、アナログ放送とディジタル放送のそれぞれを担当する二つのＣＰＵにおいて並行してチャンネルサーチを行うものがある（特許文献１参照）
【０００６】
【特許文献１】
特開２００２−１７１４５３号公報
【０００７】
【発明が解決しようとする課題】
ところで、上記チャンネルサーチには、条件にもよるが数十分程度を要するのが通例であり、イニシャル時のチャンネルサーチ中には番組視聴は行えず、チャンネルサーチが終了するのを待つ必要がある。再チャンネルサーチ時にユーザが受信操作等を行うと、サーチは中断され、この場合には未再サーチとなるチャンネルが存在してしまうことになる。また、再チャンネルサーチを度々実行すると、この間は受信装置の電源を通電しておく必要があるため、消費電力が多く必要とされることになる。
【０００８】
この発明は、上記の事情に鑑み、チャンネルサーチに要する時間を極力少なくしつつ、より最新の受信データを取得することができるディジタル放送受信装置を提供することを目的とする。
【０００９】
【課題を解決するための手段】
この発明のディジタル放送受信装置は、上記課題を解決するために、チャンネル毎に提供されているデータをチャンネルサーチの実行により取得するディジタル放送受信装置において、各チャンネルについて最終チューニング日時を記憶する記憶手段と、新たなチャンネルサーチでは前記最終チューニング日時から所定期間経過したチャンネルを選出してチャンネルサーチを行わせる制御手段と、を備えたことを特徴とする。
【００１０】
上記の構成において、所定期間を経過しているチャンネルは所定期間を経過していないチャンネルに比べて最新データの取得が行えていない場合が多いと考えられ、かかるチャンネルサーチに絞ることで、効果的な再チャンネルサーチが行われることになる。
【００１１】
ユーザによって選局が指示されたときにも選局チャンネルの最終チューニング日時を更新するように構成されているのがよい。これによれば、チャンネルサーチにおけるチューニングだけでなく、ユーザによって選局が指示された場合にも最終チューニング日時が更新されることになる。
【００１２】
また、この発明のディジタル放送受信装置は、チャンネル毎に提供されているデータをチャンネルサーチの実行により取得するディジタル放送受信装置において、各チャンネルについてチャンネルサーチ実施日時及び最終チューニング日時及び最終受信成功日時を記憶する記憶手段と、新たなチャンネルサーチでは前記日時に基づいてサーチ対象チャンネルを選出してチャンネルサーチを行わせる制御手段と、を備えたことを特徴とする。
【００１３】
上記の構成であれば、新たなチャンネルサーチにおいて、全てのチャンネルを対象とするのではなく、所定の条件を満たすチャンネルが選別されてチャンネルサーチの対象とされるので、効率よく再チャンネルサーチを行うことができるようになる。
【００１４】
最終チューニング日時と最終受信成功日時とが同じであり、前記最終チューニング日時がチャンネルサーチ実施日時より新しく、最終チューニング日時から所定期間を経過していないチャンネルをサーチ対象チャンネルから除外するように構成されているのがよい。これによれば、前回或るチャンネルについて行われたチャンネルサーチ以降、ユーザによる選局で放送の受信が成功しており、その時点で新しい情報を取得できていると考えられるので、かかるチャンネルを除外することで効率的な再チャンネルサーチが行えることになる。
【００１５】
チャンネルサーチ実施日時及び最終チューニング日時及び最終受信成功日時が同じであるチャンネルを更新サーチ対象チャンネルとして優先的にチャンネルサーチを実行するように構成されているのがよい。かかる構成であれば、前回或るチャンネルについて行われたチャンネルサーチ以降、ユーザによる選局で放送の受信が行われておらず、新しい情報を取得できていないと考えられるので、かかるチャンネルを優先することで効率的な再チャンネルサーチが行える。
【００１６】
最終チューニング日時が最終受信成功日時より新しいチャンネルを所定のタイミングで削除サーチ対象チャンネルとしてチャンネルサーチを実行し、複数回継続して前記チャンネルサーチの対象とされたチャンネルについてはそのデータを削除するように構成されているのがよい。かかる構成であれば、放送が停止されたと思われるチャンネルについてそのデータを削除することができる。
【００１７】
データが無いチャンネルを所定のタイミングで追加サーチ対象チャンネルとしてチャンネルサーチを実行し、受信成功した場合にはそのチャンネルのデータを取得するように構成されているのがよい。かかる構成において、前記所定のタイミングとして例えば短周期を設定することで、新規開局等にすばやく対応することが可能となる。
【００１８】
ユーザによって選局が指示されたときにも選局チャンネルの最終チューニング日時を更新し、前記チャンネルが受信可能であったときには最終受信成功日時も更新するように構成されているのがよい。また、上記構成において、データが無いチャンネルがユーザ選局によるチューニングで受信成功した場合には、そのチャンネルのデータを取得するように構成されているのがよい。
【００１９】
【発明の実施の形態】
以下、この発明の実施形態を図１乃至図４に基づいて説明するが、ここではユーザが地上ディジタル放送を視聴する場合を例示している。図１はこの実施形態のディジタル放送受信装置３０を示したブロック図であり、図２はこの実施形態のチャンネルサーチ処理を説明したフローチャートであり、図３はチャンネル情報を例示した説明図であり、図４はユーザによる選局時の処理を説明したフローチャートである。
【００２０】
図１において、アンテナ１は、屋外において所定の方向に向けて配置されており、地上波放送局から送られてくるディジタル放送信号を受信する。
【００２１】
チューナ２は、映像・音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポート・ストリームを出力する。
【００２２】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３は、ビデオストリームとオーディオストリームをＡＶデコーダ４に供給し、ＰＳＩ／ＳＩに含まれる番組関連情報（番組名、番組開始時刻、番組内容情報等）等をＣＰＵ１３に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。
【００２３】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。デコードにより生成された映像データは映像処理回路５に出力され、音声データは音声処理回路６に出力される。
【００２４】
映像処理回路５は、ＡＶデコーダ４から映像データを受け取ってＤ／Ａ変換を行い、例えばコンポジット映像信号に変換する。音声処理回路６は、ＡＶデコーダ４から出力された音声データを受け取ってＤ／Ａ変換を行い、例えば右（Ｒ）音のアナログ信号及び左（Ｌ）音のアナログ信号を生成する。
【００２５】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によって受像管１６ａ及びスピーカ１６ｂを備えるモニタ１６が接続される。
【００２６】
ＯＳＤ回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、ＣＰＵ１３が受け取った前述の番組関連情報に基づくＥＰＧ（Ｅｌｅｃｔｒｏｎｉｃ  Ｐｒｏｇｒａｍ  Ｇｕｉｄｅ）表示などが行えることになる。
【００２７】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００２８】
メモリ（ＲＡＭ、ＥＥＰＲＯＭ、フラッシュメモリ等）１４には、ＥＰＧ画面などを表示するための番組情報の他、受信データ（例えば、サービスリストやＴＳ＿ＩＤ、周波数など）や各種処理の実施日時データなどが格納される。
【００２９】
ＣＰＵ１３は、このディジタル放送受信装置３０における全体制御を行うものであるが、特にこの発明にかかる制御として、チャンネルサーチによるチャンネル情報の生成／更新などを行うようになっている。
【００３０】
図２は、この実施形態のチャンネルサーチ処理を説明したフローチャートである。このフローチャートを用いて、初期チャンネルサーチ処理を説明する。なお、初期チャンネルサーチは、例えば受信装置３０の初回電源投入時に自動的に実行されるようになっている。ＣＰＵ１３は、例えば、ＵＨＦ帯域の最も低い周波数（例えばｃｈ１２）を開始周波数とし（ステップＳ１）、スキャン対象の周波数であるかどうかを判断する（ステップＳ２）。初期チャンネルサーチにおいては全ての周波数がスキャン対象とされることになる。
【００３１】
ＣＰＵ１３はチューナ２に周波数を設定し（ステップＳ３）、前述の周波数で放送を受信（チューナ２が周波数をロック）できたかどうかを判断する（ステップＳ４）。放送を受信できた場合には、前述の受信データを取得してこれをメモリ１４に記憶する（ステップＳ６）。そして、現在日時を当該チャンネルの最終受信成功日時とする（ステップＳ７）。また、現在日時を当該チャンネルの最終チューニング日時とし（ステップＳ８）、更に現在日時を当該チャンネルのチャンネルスキャン日時とする（ステップＳ９）。一方、放送を受信できなかった場合には、予め受信チェックのために設けられたタイムアウトを判断し（ステップＳ５）、タイムアウトである場合にはステップＳ８に進み、最終チューニング日時とチャンネルスキャン日時だけが更新される。
【００３２】
ＣＰＵ１３は、チャンネル削除スキャン実行中であるかどうかを判断し（ステップＳ１０）、ＹＥＳであれば後述するチャンネル削除処理を実行することになるが（ステップＳ１１）、ここでは初期チャンネルサーチのときには、ＮＯと判断される。そして、ＣＰＵ１１は、スキャン中の周波数が最終周波数（例えばｃｈ６２）であるかどうかを判断し（ステップＳ１２）、最終周波数でない場合には周波数をＵＰし（ステップＳ１３）、ステップＳ２に戻る。最終周波数であると判断された場合には、チャンネルサーチを終了する。
【００３３】
初期チャンネルサーチにおいて生成されるチャンネル情報では、放送を受信することができたチャンネルについては、受信データが記憶されると共に、チャンネルスキャン日時と最終チューニング日時と最終受信成功日時とがメモリ１４に記憶される。一方、放送を受信することができなかったチャンネルについては、受信データや最終受信成功日時は記憶されず、チャンネルスキャン日時及び最終チューニング日時が記憶される。
【００３４】
ＣＰＵ１３は、初期チャンネルサーチの後の再チャンネルサーチ（受信装置のスタンバイ時などに実施）において、スキャン対象を所定条件の下で、▲１▼チャンネル削除対象、▲２▼チャンネル追加対象、▲３▼チャンネル更新対象、▲４▼対象外の４つに分類する。なお、スキャン対象は、図２において説明したチャンネルサーチ処理中のステップＳ２で選出される。そして、上記▲１▼▲２▼▲３▼のスキャン対象については、再チャンネルサーチの間隔（周期）を異ならせることとしており、更に、停波時間帯に再チャンネルサーチが連続して行われることによる不具合を防止するために、再チャンネルサーチの時間帯がばらつくようにしている。
【００３５】
以下の説明においては図３に例示したチャンネル情報を用いることとするが、説明を容易にするため、チャンネル情報中の「チャンネルスキャン日時」、「最終チューニング日時」、「最終受信成功日時」は時刻を省略している。
【００３６】
（チャンネル削除スキャン）
チャンネル削除スキャンは、放送周波数の変更や放送停止などが行われたチャンネルに対応するためのものであり、チャンネル情報における最終チューニング日時が最終受信日時より新しいチャンネルをスキャン対象とする（図３のｃｈ１３参照）。すなわち、最終チューニング日時において受信が行えなかったチャンネルがチャンネル削除スキャンの対象チャンネルとなる。なお、削除されるべきチャンネルの情報が多少の間そのままであったとしても、ユーザにとっての不都合は比較的少ないと考えられるため、チャンネルサーチ間隔は比較的長めに設定し、例えば３日に１回スキャンを実行することとする。
【００３７】
チャンネル削除スキャン実行時には図２のステップＳ１０においてＹＥＳと判断されることになり、チャンネル削除処理が行われる（ステップＳ１１）。このチャンネル削除処理では、チャンネル削除スキャンの対象チャンネルとして当該スキャンを例えば、５回受けた場合に削除を遂行することとする。削除遂行においては、最終受信成功日時が削除されることになり、以後はチャンネル追加スキャンの対象チャンネルとなる。なお、スキャン対象の条件として最終チューニング日時と最終受信日時との差が３日以上といった条件を付加してもよい。
【００３８】
（チャンネル追加スキャン）
チャンネル追加スキャンは、新たな放送局の開局や新中継局の設置などに対応するためのものであり、最終受信成功日時が無いチャンネルをスキャン対象とする（図３のｃｈ１２参照）。新たなチャンネル追加などに適宜対応するにはスキャン頻度を高めることが望ましいが、実際には無局となるチャンネルが多数存在すると考えられるため、この実施形態では例えば２日に１回スキャンを実行するようにしている。このチャンネル追加スキャンにおいてスキャン対象とされたチャンネルが有局判定を受けた場合には、受信データの取得記憶が行われ、チャンネルスキャン日時及び最終チューニング日時及び最終受信成功日時を当該スキャンを実行した日時に更新することになる。
【００３９】
（チャンネル更新スキャン）
チャンネル更新スキャンは、受信データを更新するため、「最終チューニング日時＝最終受信日時」である有局チャンネルをスキャン対象とする（図３のｃｈ１４参照）。ここで、「最終チューニング日時＝最終受信日時で且つ当該日時よりもチャンネルスキャン日時の方が旧く、最終チューニング日時以降例えば１日を経過していないチャンネルはスキャン対象外とする（図３のｃｈ１５参照）。これは、前回行われたスキャン以降、ユーザによる選局によって放送の受信が成功しており、その時点で新しい情報を取得できていると考えられるので、かかるチャンネルを対象外とし、効率的な再チャンネルサーチとするためである。その一方、チャンネル更新スキャンの対象チャンネルは、前回行われたスキャン以降にユーザによる選局で放送の受信が行われておらず、新しい情報を取得できていないと考えられる。そこで、かかるチャンネルをチャンネル更新スキャンの対象とし、このスキャンについては、例えば、１日１回スキャンを実行することとして最も優先することとしている。
【００４０】
図４は、ユーザによる選局時の処理を説明したフローチャートである。ユーザがリモコン送信機１０を用いてチャンネル選局操作を開始すると、ＣＰＵ１３はメモリ１４に記憶された受信データを用いて選局を指示されたチャンネルの周波数を調べる（ステップＳ２１）。ＣＰＵ１３はチューナ２に周波数を設定し（ステップＳ２２）、前述の周波数で放送を受信できたかどうかを判断する（ステップＳ２３）。放送を受信できた場合には、受信データを取得してこれをメモリ１４に記憶する（ステップＳ２５）。そして、現在日時を当該チャンネルの最終受信成功日時、及び最終チューニング日時とする（ステップＳ２６、Ｓ２７）。放送を受信できなかった場合には、予め受信チェックのために設けられたタイムアウトを判断し（ステップＳ２４）、タイムアウトである場合にはステップＳ２７に進む。
【００４１】
なお、スキャン処理では最終受信成功日時が無く無局とされていて、このユーザによる選局時にたまたまチャンネルが開局してる場合があり、かかるチャンネルについても、受信データが取得され、各種日時も更新されることになる。そして、上記処理において、受信ＯＫとなれば、以後、そのチャンネルはスキャン対象外チャンネルとなり得ることになり、受信ＮＧとなれば、チャンネル削除スキャンの対象チャンネルとなる。
【００４２】
以上説明したように、この実施例であれば、各チャンネルにつき「有局／無局情報」、「チャンネルスキャン日時」、「最終チューニング日時」、「最終受信成功日時」といった情報をメモリ１４に記憶し、これらの情報に基づき所定の条件を満たすチャンネルを選出して、効率良くチャンネルサーチを行い、サーチ時間を短縮して消費電力を削減することができる。
【００４３】
なお、上記の説明においては、各チャンネルにつき、「チャンネルスキャン日時」、「最終チューニング日時」、「最終受信成功日時」といった情報を用いて判定対象チャンネルを選出することとしたが、例えば、各チャンネルにつき「最終チューニング日時」だけを記憶しておくこととし、この最終チューニング日時から所定期間（例えば２日など）を経過したチャンネルを判定対象チャンネルとして選出することとしてもよい。これによれば、例えば再チャンネルサーチ実行中にユーザが受信操作等を行い、再チャンネルサーチが中断された場合でも、既にチャンネルサーチを行ったチャンネルを繰り返し判定対象チャンネルとするといったことを防ぐことができる。また、ユーザによって選局が指示された場合にも最終チューニング日時は更新されるので、選局指示から所定期間を経過していないチャンネルをサーチ対象外のチャンネルとすることができる。
【００４４】
【発明の効果】
以上説明したように、この発明であれば、チャンネルサーチに要する時間を極力少なくしつつ、より最新の受信データを取得することができるという効果を奏する。
【図面の簡単な説明】
【図１】この発明の実施形態のディジタル放送受信装置を示したブロック図である。
【図２】この実施形態のチャンネルサーチ処理を説明したフローチャートである。
【図３】各チャンネルの有局／無局情報等を例示した説明図である。
【図４】ユーザによる選局時の処理を示したフローチャートである。
【図５】従来のチャンネルサーチ処理を示したフローチャートである。
【符号の説明】
１    アンテナ
２    チューナ
３    デマルチプレクサ（ＤＥＭＵＸ）
４    ＡＶデコーダ
１２  ＯＳＤ回路
１３  ＣＰＵ
１４  メモリ
【図１】
2004165861.tif 000003
【図２】
2004165861.tif 000004
【図３】
2004165861.tif 000005
【図４】
2004165861.tif 000006
【図５】
2004165861.tif 000007